(57)【要約】【課題】ぜんまいばね組立体と上がまちの組合せ構造の提供。【解決手段】一種のぜんまいばね組立体と上がまちの組合せ構造、主に動力ぜんまいばねの回転軸を上がまちの長手軸方向に垂直して設置する方式により、上がまちの高さの低減を図る。該上がまちに第１係止め部を設け、ぜんまいばね組立体は前記に対応した第２係止め部及びピンを設けて、ぜんまいばね組立体を間違った方向により該上がまちに取り付ける、及び/又はぜんまいばね組立体を間違った方向の回転を防止し、組立間違いによるぜんまいばね組立体破損の減少を図る。【選択図】図１
0003128668.tif 000002
【実用新案登録請求の範囲】
【請求項１】
ぜんまいばね組立体と上がまちの組合せ構造において、以下の構成要素を備え、
上がまち、以下の構成要素を備え、
連結部、
前壁部と後壁部をそれぞれ該連結部の前後部に設け、互いに平行して一定の長さを延ばし、各連結部と前、後部壁との間に収容空間を形成し、該収容空間は該連結部に合わせて開口部を設け、
第１係止め部を該前部壁の内側に突き出して設け、
ぜんまいばね組立体、以下の構成要素を備え、
ハウジング、その一部の幅は該開口部の幅より大きい。該上がまちの一端より、その長手軸方向に沿って、該収容空間に収容し、
ぜんまいばねを該ハウジングに取り付け、
第１伝動素子を該ハウジングに設け、該ぜんまいばねの伝動により、第１方向に回転移動し、
第２伝動素子を該ハウジングに設け、該第１伝動素子の伝動により、第２方向に回転移動し、
第２係止め部を該ハウジングの外周面に設け、該第１係止め部に対応し、
そのうち、該第１係止め部が前方に向かったとき、該第２係止め部は該収容空間の一端に係止めて、該ぜんまいばね組立体が該収容空間への進入を阻止することを特徴とするぜんまいばね組立体と上がまちの組合せ構造。
【請求項２】
請求項１記載のぜんまいばね組立体と上がまちの組合せ構造において、該ハウジングは以下の構成要素を備え、
台を設け、
中蓋を該台の上部に設け、該ぜんまいばねを該中蓋と該台との間に設け、
そのうち、該第１伝動素子は該中蓋に旋接し、所定の区域は該ぜんまいばねに連結する、該第２伝動素子はハウジングに旋接し、噛み合わせ方式により、該第１伝動素子の伝動を受けることを特徴とするぜんまいばね組立体と上がまちの組合せ構造。
【請求項３】
請求項１記載のぜんまいばね組立体と上がまちの組合せ構造において、該第１伝動素子は備え付けた傘歯車により、同じく傘歯車を有する第２傘歯車を伝動することを特徴とするぜんまいばね組立体と上がまちの組合せ構造。
【請求項４】
請求項１又は請求項３記載のぜんまいばね組立体と上がまちの組合せ構造において、該ぜんまいばね組立体はさらにピンを有し、該ピンの所定区域は第１位置と第２位置の間に移動し、第２位置に移動したとき、該所定区域は該第１、第２伝動素子の間に噛み合わせることにより、該第１伝動素子は該第２伝動素子を該第１方向と該第２方向に沿って移動することを特徴とするぜんまいばね組立体と上がまちの組合せ構造。
【請求項５】
請求項４記載のぜんまいばね組立体と上がまちの組合せ構造において、該ピンは該第１、第２伝動素子それぞれに締結する場所は適切な弾力を有することを特徴とするぜんまいばね組立体と上がまちの組合せ構造。
【請求項６】
請求項１記載のぜんまいばね組立体と上がまちの組合せ構造において、該第１係止め部は該後部壁の内側に突き出して設けることを特徴とするぜんまいばね組立体と上がまちの組合せ構造。
【請求項７】
ぜんまいばね組立体と上がまちの組合せ構造において、以下の構成要素を備え、
上がまち、以下の構成要素を備え、
連結部、
前壁部と後壁部をそれぞれ該連結部の前後部に設け、互いに平行して一定の長さを延ばし、各連結部と前、後部壁との間に収容空間を形成し、該収容空間は該連結部に合わせて開口部を設け、
ぜんまいばね組立体、以下の構成要素を備え、
ハウジングを該収容空間に取り付け、
ぜんまいばねを該ハウジングに取り付け、
第１伝動素子を該ハウジングに設け、該ぜんまいばねの伝動により、第１方向に回転移動し、
第２伝動素子を該ハウジングに設け、該第１伝動素子の伝動により、第２方向に回転移動し、
ピンを該ハウジングに設け、所定区域は第１位置と第２位置において移動できる、該第２位置に移動されたとき、該区域は該第１、第２伝動素子の間にそれぞれ締結し、該第１伝動素子による該第２伝動素子の連動を阻止することを特徴とするぜんまいばね組立体と上がまちの組合せ構造。
【請求項８】
請求項７記載のぜんまいばね組立体と上がまちの組合せ構造において、該ハウジングは以下の構成要素を備え、
台を設け、
中蓋を該台の上部に設け、該ぜんまいばねを該中蓋と該台との間に設け、
そのうち、該第１伝動素子の所定区域は該台と該中蓋にそれぞれ旋接し、該第２伝動素子は該中蓋に旋接し、噛み合わせ方式により、該第１伝動素子の伝動を受けることを特徴とするぜんまいばね組立体と上がまちの組合せ構造。
【請求項９】
請求項７記載のぜんまいばね組立体と上がまちの組合せ構造において、該第７伝動素子は備え付けた傘歯車により、同じく傘歯車を有する第２傘歯車を伝動することを特徴とするぜんまいばね組立体と上がまちの組合せ構造。
【請求項１０】
請求項７記載のぜんまいばね組立体と上がまちの組合せ構造において、該ピンは該第１、第２伝動素子それぞれに締結する場所は適切な弾力を有することを特徴とするぜんまいばね組立体と上がまちの組合せ構造。
【請求項１１】
請求項７又は請求項８記載のぜんまいばね組立体と上がまちの組合せ構造において、該ハウジングはさらに、上蓋を設ける、その係止め孔は該第１、第２伝動素子の結合場所に向かって設け、ピンを該係止め孔に挿入、該ピンの外周面に一つ以上の第１係止め輪を設け、該係止め輪の外径は該係止め孔の内径より大きく設けることを特徴とするぜんまいばね組立体と上がまちの組合せ構造。
【請求項１２】
請求項１又は請求項７記載のぜんまいばね組立体と上がまちの組合せ構造において、回転軸を設け、該第２伝動素子はその両側を貫通し、該上がまちの長手軸方向に平行し、延ばして軸孔を設け、該第２伝動素子に連動することを特徴とするぜんまいばね組立体と上がまちの組合せ構造。
【請求項１３】
請求項１２記載のぜんまいばね組立体と上がまちの組合せ構造において、該軸孔の横断面の内周面は多辺形を形成し、該回転軸も合わせて多辺形の外周面を設けることを特徴とするぜんまいばね組立体と上がまちの組合せ構造。
【考案の詳細な説明】
【技術分野】
【０００１】
本考案はぜんまいばね組立体の構造及び上がまちとの組合せ構造、特に一種のぜんまいばね組立体と上がまちとの組立の方向性、ぜんまいばね組立体のモジュール化構造に関わるものである。
【背景技術】
【０００２】
引っ張り紐を使用しないカーテン構造は、一般として、ぜんまいばねハウジング（spring ｈｏｕｓｉｎｇ）駆動と電動機駆動に分け、良く使われている駆動方式は、ぜんまいばねハウジング駆動方式である。この種の技術は特許文献１、特許文献２、及び特許文献３などがある。これらの技術はばねモータ（ｓｐｒｉｎｇ  ｍｏｔｏｒ）を回転動力とし、巻き取りプーリー（ｃｏｒｄ  ｓｐｏｏｌ）はばねモータの一端に固定し、ばねモータより巻き取りプーリーを駆動し回転しながら紐を巻き付ける。
【０００３】
さらに、特許文献４も同じくぜんまいばね（ｐｏｗｅｒ  ｓｐｒｉｎｇ）より構成するぜんまいばね組立体（ｓｐｒｉｎｇ  ａｓｓｅｍｂｌｙ）を回転動力源とし、ぜんまいばね組立体を上がまち（ｈｅａｄ  ｒａｉｌ）に取り付け、回転軸（ｓｈａｆｔ）は上がまちに取り付けて、ぜんまいばね組立体を貫通する。回転軸はぜんまいばね組立体の駆動により回転し、回転軸はさらに、巻付け軸組立体（ｓｐｏｏｌ  ａｓｓｅｍｂｌｙ）を通して、回転軸部品を回転させ、紐の巻付け目的を実現するほか、回転軸に複数のばね組立体を串刺しに取り付けて、回転軸の回転力量を向上させる。しかしながら、特許文献４のぜんまいばね組立体の回転軸方向は回転軸線と上がまちの長手軸方向延長方法に平行し、ぜんまいばね全体の長手方向は該回転軸線方向に垂直している。このような組合せ方式は、ぜんまいばね組立体の長手方向を上がまちの長手延長方向に垂直するため、上がまちの幅と高さが増大する。
【０００４】
このほか、特許文献５において、ばね駆動単元（ｓｐｒｉｎｇ  ｄｒｉｖｅｒ  ｕｎｉｔ）をハウジング（ｈｏｕｓｉｎｇ）に収容し、伝動軸（ｔｒａｎｓｍｉｓｓｉｏｎｓｈａｆｔ）をハウジング枢設した上、傘歯車組（ｂｅｖｅｌ  ｇｅａｒ  ｓｅｔ）をばね駆動単元と伝動軸間の動力伝達源とすることが開示されている。しかしながら、該特許文献５に開示されたばね駆動単元と伝動軸との間に、モジュール化設計でないため、組立と保守に長い時間と高いコストが掛かる。
【０００５】
【特許文献１】米国特許第５４８２１００号明細書
【特許文献２】米国特許第５５３１２５７号明細書
【特許文献３】米国特許第６２３４２３６号明細書
【特許文献４】米国特許第６０５６０３６号明細書
【特許文献５】米国特許第６２８３１９２号明細書
【０００６】
一方、ばねハウジングはぜんまいばねを動力源としている。よって、ばねハウジングに掛かる負荷の回転方向とばねの戻り回転方向がそれぞれ異なり、混用すると、ぜんまいばねを破損する恐れがあるため、混用できない。一般の利用者が組み立てるときに、組間違いによりばねハウジングを破損する恐れがある。
【考案の開示】
【考案が解決しようとする課題】
【０００７】
本考案は一種のぜんまいばね組立体と上がまちとの組合せ構造を提供し、ぜんまいばね組立体のモジュール化構造により、ぜんまいばね組立体と上がまちとの間に組合せ方向性を形成するほか、ぜんまいばね組立体に制動性を持たせて、組立と保守の便利性を向上させる。
【０００８】
本考案のぜんまいばね組立体と上がまちの組合せ構造は、ぜんまいばね組立体を一体化構造により、上がまちに組み込む。ぜんまいばね組立体のぜんまいばねの回転軸方向をぜんまいばね組立体の回転軸方向に垂直して貫通する。これにより、ぜんまいばね組立体の容積の小型化を実現できる。上がまちは前壁部、後壁部と連結部を有し、前壁部と後壁部は連結部によって連結することにより前後に配置し、前壁部と後壁部との間に収容空間を形成する。そのうち、前壁部に第１係止め部を設け、ぜんまいばね組立体ハウジングの外面に第２係止め部を設ける。第１係止め部を前部に向かわれたとき、第２係止め部は収容空間の一端に係止めて、ぜんまいばね組立体が収容空間への侵入を阻止する。
【０００９】
ぜんまいばね組立体の組立が便利のため、ピンによりぜんまいばね組立体を制止することにより、ぜんまいばね組立体を組み立てるときに、初期状態を維持できる。さらに、ぜんまいばね組立体は外力により誤動作したとき、このピンによってただちに制止され、ぜんまいばね組立体の破損を軽減できる。
【課題を解決するための手段】
【００１０】
請求項１の考案は、ぜんまいばね組立体と上がまちの組合せ構造において、以下の構成要素を備え、
上がまち、以下の構成要素を備え、
連結部、
前壁部と後壁部をそれぞれ該連結部の前後部に設け、互いに平行して一定の長さを延ばし、各連結部と前、後部壁との間に収容空間を形成し、該収容空間は該連結部に合わせて開口部を設け、
第１係止め部を該前部壁の内側に突き出して設け、
ぜんまいばね組立体、以下の構成要素を備え、
ハウジング、その一部の幅は該開口部の幅より大きい。該上がまちの一端より、その長手軸方向に沿って、該収容空間に収容し、
ぜんまいばねを該ハウジングに取り付け、
第１伝動素子を該ハウジングに設け、該ぜんまいばねの伝動により、第１方向に回転移動し、
第２伝動素子を該ハウジングに設け、該第１伝動素子の伝動により、第２方向に回転移動し、
第２係止め部を該ハウジングの外周面に設け、該第１係止め部に対応し、
そのうち、該第１係止め部が前方に向かったとき、該第２係止め部は該収容空間の一端に係止めて、該ぜんまいばね組立体が該収容空間への進入を阻止することを特徴とするぜんまいばね組立体と上がまちの組合せ構造としている。
請求項２の考案は、請求項１記載のぜんまいばね組立体と上がまちの組合せ構造において、該ハウジングは以下の構成要素を備え、
台を設け、
中蓋を該台の上部に設け、該ぜんまいばねを該中蓋と該台との間に設け、
そのうち、該第１伝動素子は該中蓋に旋接し、所定の区域は該ぜんまいばねに連結する、該第２伝動素子はハウジングに旋接し、噛み合わせ方式により、該第１伝動素子の伝動を受けることを特徴とするぜんまいばね組立体と上がまちの組合せ構造としている。
請求項３の考案は、請求項１記載のぜんまいばね組立体と上がまちの組合せ構造において、該第１伝動素子は備え付けた傘歯車により、同じく傘歯車を有する第２傘歯車を伝動することを特徴とするぜんまいばね組立体と上がまちの組合せ構造としている。
請求項４の考案は、請求項１又は請求項３記載のぜんまいばね組立体と上がまちの組合せ構造において、該ぜんまいばね組立体はさらにピンを有し、該ピンの所定区域は第１位置と第２位置の間に移動し、第２位置に移動したとき、該所定区域は該第１、第２伝動素子の間に噛み合わせることにより、該第１伝動素子は該第２伝動素子を該第１方向と該第２方向に沿って移動することを特徴とするぜんまいばね組立体と上がまちの組合せ構造としている。
請求項５の考案は、請求項４記載のぜんまいばね組立体と上がまちの組合せ構造において、該ピンは該第１、第２伝動素子それぞれに締結する場所は適切な弾力を有することを特徴とするぜんまいばね組立体と上がまちの組合せ構造としている。
請求項６の考案は、請求項１記載のぜんまいばね組立体と上がまちの組合せ構造において、該第１係止め部は該後部壁の内側に突き出して設けることを特徴とするぜんまいばね組立体と上がまちの組合せ構造としている。
【００１１】
請求項７の考案は、ぜんまいばね組立体と上がまちの組合せ構造において、以下の構成要素を備え、
上がまち、以下の構成要素を備え、
連結部、
前壁部と後壁部をそれぞれ該連結部の前後部に設け、互いに平行して一定の長さを延ばし、各連結部と前、後部壁との間に収容空間を形成し、該収容空間は該連結部に合わせて開口部を設け、
ぜんまいばね組立体、以下の構成要素を備え、
ハウジングを該収容空間に取り付け、
ぜんまいばねを該ハウジングに取り付け、
第１伝動素子を該ハウジングに設け、該ぜんまいばねの伝動により、第１方向に回転移動し、
第２伝動素子を該ハウジングに設け、該第１伝動素子の伝動により、第２方向に回転移動し、
ピンを該ハウジングに設け、所定区域は第１位置と第２位置において移動できる、該第２位置に移動されたとき、該区域は該第１、第２伝動素子の間にそれぞれ締結し、該第１伝動素子による該第２伝動素子の連動を阻止することを特徴とするぜんまいばね組立体と上がまちの組合せ構造としている。
請求項８の考案は、請求項７記載のぜんまいばね組立体と上がまちの組合せ構造において、該ハウジングは以下の構成要素を備え、
台を設け、
中蓋を該台の上部に設け、該ぜんまいばねを該中蓋と該台との間に設け、
そのうち、該第１伝動素子の所定区域は該台と該中蓋にそれぞれ旋接し、該第２伝動素子は該中蓋に旋接し、噛み合わせ方式により、該第１伝動素子の伝動を受けることを特徴とするぜんまいばね組立体と上がまちの組合せ構造としている。
請求項９の考案は、請求項７記載のぜんまいばね組立体と上がまちの組合せ構造において、該第７伝動素子は備え付けた傘歯車により、同じく傘歯車を有する第２傘歯車を伝動することを特徴とするぜんまいばね組立体と上がまちの組合せ構造としている。
請求項１０の考案は、請求項７記載のぜんまいばね組立体と上がまちの組合せ構造において、該ピンは該第１、第２伝動素子それぞれに締結する場所は適切な弾力を有することを特徴とするぜんまいばね組立体と上がまちの組合せ構造としている。
請求項１１の考案は、請求項７又は請求項８記載のぜんまいばね組立体と上がまちの組合せ構造において、該ハウジングはさらに、上蓋を設ける、その係止め孔は該第１、第２伝動素子の結合場所に向かって設け、ピンを該係止め孔に挿入、該ピンの外周面に一つ以上の第１係止め輪を設け、該係止め輪の外径は該係止め孔の内径より大きく設けることを特徴とするぜんまいばね組立体と上がまちの組合せ構造としている。
請求項１２の考案は、請求項１又は請求項７記載のぜんまいばね組立体と上がまちの組合せ構造において、回転軸を設け、該第２伝動素子はその両側を貫通し、該上がまちの長手軸方向に平行し、延ばして軸孔を設け、該第２伝動素子に連動することを特徴とするぜんまいばね組立体と上がまちの組合せ構造としている。
請求項１３の考案は、請求項１２記載のぜんまいばね組立体と上がまちの組合せ構造において、該軸孔の横断面の内周面は多辺形を形成し、該回転軸も合わせて多辺形の外周面を設けることを特徴とするぜんまいばね組立体と上がまちの組合せ構造としている。
【考案の効果】
【００１２】
本考案のぜんまいばね組立体と上がまちの組合せ構造は、ぜんまいばね組立体のモジュール化設計により、ぜんまいばね組立体と上がまちと特別な組合せ特性を持たせて、ぜんまいばね組立体が正しく組み込まれることを確保し、組立方向間違いによるぜんまいばね組立体の破損を避けることができる。本考案は組立に独特な方式を採用し、ぜんまいばね組立体の破損を防止できるほか、ぜんまいばね組立体に制止機能を持たせて、ぜんまいばね組立体の誤動作をただちに制止し、ぜんまいばね組立体の破損を減少する効果がある。
【考案を実施するための最良の形態】
【００１３】
図１、図２及び図３は、それぞれ本考案のぜんまいばね組立体をカーテンに実施したときの組合せ概略図、ぜんまいばね組立体組み合わせず及びぜんまいばね組立体の展開図を示す。ぜんまいばね組立体１００と巻き取りプーリー（ｃｏｒｄ  ｐｕｌｌｅｙ）７１０は上がまち（ｈｅａｄ  ｒａｉｌ）５００に組み込み、回転軸７００によりぜんまいばね組立体１００と巻き取りプーリー７１０を穿設する。ぜんまいばね組立体１００はトルクを発生し回転軸７００を回転させ、巻き取りプーリー７１０を駆動して、複数のスラット（ｓｌａｔｓ）７３０のつり上げコード（ｌｉｆｔ  ｃｏｒｄ）７５０を巻き付ける。
【００１４】
ぜんまいばね組立体１００は台１１０、中蓋１５０及び上蓋２１０より構成するハウジングを有する。ぜんまいばね１３０、第１伝動素子と第２伝動素子を該ハウジングに取り付ける。
【００１５】
ぜんまいばね１３０は台１１０の側面に取り付ける。本実施例において、適切な深さを有する台１１０の底部に平置き設置する。中蓋１５０は台１１０に被せて、ぜんまいばね１３０が台１１０内部における稼働を提供する。第１伝動素子と第２伝動素子は第１傘歯車１７０と第２傘歯車１９０を有し、第１傘歯車１７０はぜんまいばね１３０に連結する。なお、第２傘歯車１９０は中蓋１５０に旋接し、第１傘歯車１７０と噛み合わせる。ぜんまいばね１３０により、第１傘歯車１７０を連動して第１方向に回転するとき、第２傘歯車１９０もこれに合わせて、第２方向に回転する。本実施例において、ぜんまいばね１３０の回転軸方向は回轉軸７００の回転方向に垂直する構造は、傘歯車の組合せを伝動素子とする。ただし、摩擦輪の組合せ方式により、同じ働きを実現できる。
【００１６】
本考案のぜんまいばね１３０は台１１０に平置き設置するため、ぜんまいばね１００の高さを低くすることを実現し、該ぜんまいばね組立体１００を使用したカーテン装置は高さの低い上がまち５００を使用することができる。
【００１７】
上蓋２１０を中蓋１５０に被せて、異物が第１傘歯車１７０と第２傘歯車１９０の歯形への付着により、伝動の滞りを防止できるほか、取り付け利用者の安全組立をはかる。ぜんまいばね組立体１００の設計はモジュール化設計を採用する。
【００１８】
図４と図５は、ぜんまいばね組立体を上がまちに様々な組立方式の概略図である。ぜんまいばね組立体１００の弾力により発生するトルクは負荷端を介して、ぜんまいばね組立体１００に加わるとき、一定の回転方向がある。逆転すると、ぜんまいばね１３０（図３）を破損する。よって、ぜんまいばね組立体１００は特定の方向に上がまち５００に取り付けることが必要である。
【００１９】
図４に示すとおり、上がまち５００は細長い片形状の連結部５１０を設け、前（ｆｒｏｎｔ  ｗａｌｌ）５２０と後壁部（ｒｅａｒ  ｗａｌｌ）５３０はそれぞれ連結部５１０の両側に連結し、その長手軸方向より適切な長さを延ばして設ける。収容空間５４０を各連結部５１０、前壁部５２０と後壁部５３０の間に形成する。第１係止め部５０１を前壁部５２０の内側に設け、突起肋状を形成する。
【００２０】
ぜんまいばね組立体１００において、該ハウジングの後部壁５３０向い側に形成する突起塊が第２係止め部１０１を形成する。該第２係止め部１０１のぜんまいばね組立体１００底部における距離ｈ１は、上がまち５００の第１係止め部５０１と連結部５１０との距離ｈ２より大きく設ける。これにより、利用者は第２係止め部１０１を前方に向かって、ぜんまいばね組立体１００を上がまち５００に取り付けた後、第１係止め部５０１と第２係止め部１０１は互いに係止めて、ぜんまいばね組立体１００は上がまち５００に侵入することを阻止し、フェルセーフを図る。一方、ぜんまいばね組立体１００は上がまち５００に取り付けることを許す（図４Ａ）。さらに、上がまち開口部５５０を前部壁５２０と後部壁５３０の間に設け、連結部５１０と向かい合う。その幅はぜんまいばね組立体１００の上蓋２１０の幅に同じ、台１１０の幅より小さく設けて、ぜんまいばね組立体１００を上がまち５００の一端より、その長手軸方向に沿って、横方向より該上がまち５００にはめ込み、上から下へ上がまち開口部５５０を通して、上がまち５００に取り付けることができない。
【００２１】
図５に示すとおり、ぜんまいばね組立体１００に複数の第２係止め部を設けるとき、上がまち５００も合わせて複数の第１係止め部を設け、それぞれの形状が異なっても良い。一例として、前部壁５２０の内側に一対の楔形第１係止め部５０７を設け、この両者に三角形空間を形成する。一方、後部壁５３０の内側に一対の細長い状の第１係止め部５０５を設けて、両者に矩形空間を形成し、それぞれぜんまいばね組立体１００両側に備える三角形と矩形の第２係止め部１０７、１０５に対応する。これにより、細長い状、楔形第１係止め部５０５、５０７及び矩形、三角形の第２係止め部１０５、１０７それぞれの係止め働きにより、ぜんまいばね組立体１００を誤って上がまち５００に取り付けられたとき、ぜんまいばね組立体１００に与える破損を防止できる。
【００２２】
前記したぜんまいばね組立体１００と上がまち５００の組立に関するフェルセーフ機能のほか、ぜんまいばね組立体１００にもフェルセーフ機能を設ける。図６、図７及び図８は、ピンによる係止め作動の概略図である。図３と図６に示すとおり、ぜんまいばね組立体１００はさらに、ピン２３０を設け、上蓋２１０が第１傘歯車１７０と第２傘歯車１９０との噛み合わせ位置に係止め孔２１１を設け、ピン２３０は係止め孔２１１を通した後、その長手軸方向に沿って、ピン２３０を上蓋２１０の第１位置（図９）と第２位置（図１０）の間に移動自在にして、ピン２３０を調節し第１傘歯車１７０への当たり具合を調節する。そのうち、ピン２３０が第１傘歯車１７０に当たる端部を自由端とし、受力のときに振れるように設ける。その部材は、ゴムなど適切な弾力を有するものを使用する。
【００２３】
図７に示すとおり、ピン２３０は第２位置に取り付けられ、該ピン２３０は第１傘歯車１７０に当たり、第１傘歯車１７０は取り付け間違いにより、その回転方向は第１方向９００（図８）に沿っていないとき、ピン２３０の自由端は受動により、第１傘歯車１７０と第２傘歯車１９０の噛み合わせ場所に係止めて、第１傘歯車１７０の回転を阻止する。
【００２４】
図８に示すとおり、ピン２３０は第２位置に取り付けられ、該ピン２３０は第１傘歯車１７０に当たり、第１傘歯車１７０の回転方向は第１方向９００に沿っているとき、ピン２３０は第１傘歯車１７０の連動により変形する。ただし、ピン２３０の振れ方向は第１傘歯車１７０と第２傘歯車１９０のかみ合い場所から離れているため、前記かみ合い場所に当てることなく第１傘歯車１７０は第１方向９００に沿って回転を継続し、第２傘歯車１９０を連動して第２方向９１０に回転する。ぜんまいばね組立体１００が正確に組合せ完了後に、ピン２３０を取り外して、ピン２３０が引き続きに第１傘歯車１７０に当てないよう、第１傘歯車１７０の回転抵抗力を軽減する。
【００２５】
図９と図１０は、ピンを上蓋に係止めたときの作動概略図である。ピン２３０の外周面に第１係止め輪２３１と第２係止め輪２３３を設ける。図９に示すとおり、ピン２３０は第１位置に取り付けられたとき、第１係止め輪２３１と第２係止め輪２３３はそれぞれ上蓋２１０の係止め孔２１１の上、下部に係止めて、ピン２３０の自由端は第１傘歯車１７０に係止めないため、第１傘歯車１７０第２傘歯車１９０とも自由回転できるほか、ピン２３０が係止め孔２１１より抜け出しを防止できる。図６Bに示すとおり、ピン２３０は第１傘歯車１７０に押されて第２位置にきたとき、第２係止め輪２３３は係止め孔２１１の下部に陥れて、ピン２３０の自由端は第１傘歯車１７０の歯形隙間に締結する。
【００２６】
図１１は、本考案の回転軸に二つのぜんまいばね組立体を組み立てた概略図である。図４と図１１に示すとおり、第２傘歯車１９０に横断面を有する内周面は多辺形の軸孔１９１を有するほか、上蓋２１０両側が回転軸７００に対応する場所に、孔部２１３をそれぞれ開け、横断面に備える多辺形の回転軸７００は孔部２１３及び第２傘歯車１９０の軸孔１９１を通して、第２傘歯車１９０より回転軸７００を伝動して回転する。この設計により、回転軸７００より複数のぜんまいばね組立体１００に串刺し連結できる。該複数のぜんまいばね組立体１００は同じ回転トルク又は異なる回転トルクの組合せにより、回転軸７００に必要なトルクを提供する。
【００２７】
なお、ぜんまいばね組立体のモジュール化設計により、ぜんまいばね組立体と上がまちを組み合わせるとき及び保守又は交換するときは、フェルセーフ機能により、簡単、快速に組み立てることができる。このほか、ピン設置の働きは、第１傘歯車を制止することにより、ぜんまいばね組立体を所定状態が維持され、組立の便利とフェルセーフ特性を増強する。
【図面の簡単な説明】
【００２８】
【図１】本考案のぜんまいばね組立体をカーテンに実施したときの組合せ概略図である。
【図２】本考案のぜんまいばね組立体構成要素の組合せ概略図である。
【図３】本考案のぜんまいばね組立体構成要素の展開概略図である。
【図４】本考案のぜんまいばね組立体を上がまちに様々な組立方式の概略図である。
【図５】本考案のぜんまいばね組立体を上がまちに様々な組立方式の概略図である。
【図６】本考案のピンによる制止作動概略図である。
【図７】本考案のピンによる制止作動概略図である。
【図８】本考案のピンによる制止作動概略図である。
【図９】本考案のピンを上蓋に締結するときの作動概略図である。
【図１０】本考案のピンを上蓋に締結するときの作動概略図である。
【図１１】本考案の回転軸に二つのぜんまいばね組立体を組み立てた概略図である。
【符号の説明】
【００２９】
１００  ぜんまいばね組立体
１０１  第２係止め部
１０５  第２係止め部
１０７  第２係止め部
１１０  台
１３０  ぜんまいばね
１５０  中蓋
１７０  第１傘歯車
１９０  第２傘歯車
１９１  軸孔
２１０  上蓋
２１１  係止め孔
２１３  孔部
２３０  ピン
２３１  第１係止め輪
２３３  第２係止め輪
５００  上がまち
５０１  第１係止め部
５０５  第１係止め部
５０７  第１係止め部
５１０  連結部
５２０  前壁部
５３０  後壁部
５４０  収容空間
５５０  上がまち開口部
７００  回転軸
７１０  巻き取りプーリー
７３０  スラット
７５０  つり上げコード
９００  第１方向
９１０  第２方向
ｈ１  距離
ｈ２  距離
【図１】
0003128668.tif 000003
【図２】
0003128668.tif 000004
【図３】
0003128668.tif 000005
【図４】
0003128668.tif 000006
【図５】
0003128668.tif 000007
【図６】
0003128668.tif 000008
【図７】
0003128668.tif 000009
【図８】
0003128668.tif 000010
【図９】
0003128668.tif 000011
【図１０】
0003128668.tif 000012
【図１１】
0003128668.tif 000013